(57)【要約】【課題】　表示方向を縦横に容易に切り替えることができる表示装置および該表示装置を備える電子機器を提供する。【解決手段】　ＬＣＤ１３は、縦横比が１：ｎ（ｎ＞１）の表示領域に画像を表示する略正方形（１：１＝ｎ：ｎ）の液晶表示器からなる。モード切替スイッチ３１が下側に投入されると、当該機器を横長で把持した状態で、ＬＣＤ１３の表示領域の上下が電子スチルカメラとして使用されている現時点の機器の上下に合致するように表示領域の方向を設定する。したがって、上下が非表示領域となる。一方、モード切替スイッチ３１が上側に投入されると、当該機器を縦長で把持した状態で、ＬＣＤ１３の表示領域の上下がＰＨＳ端末として使用されている現時点の機器の上下に合致するように、表示領域を９０゜回転させる。したがって、（電子スチルカメラ使用時のＬＣＤに対し）左右が非表示領域となる。【選択図】　図３
2004072754.tif 000002
【特許請求の範囲】
【請求項１】
縦横比が１：ｎ（ｎ＞１）の表示領域に画像を表示する表示装置であって、
　前記表示領域が包含されるほぼｎ対ｎの縦横比を有し、使用形態に応じて、前記表示領域を回転させることを特徴とする表示装置。
【請求項２】
前記表示装置は、複数の機能を有し、使用用途に応じて、使用形態が変わる複合機器に設けられることを特徴とする請求項１記載の表示装置。
【請求項３】
前記使用形態は、前記表示装置が設けられた電子機器の使用者による把持形態であることを特徴とする請求項１または２記載の表示装置。
【請求項４】
縦横比が１：ｎ（ｎ＞１）の表示領域に画像を表示する表示装置を備える電子機器において、
　前記表示装置は、前記表示領域が包含されるほぼｎ対ｎの縦横比を有し、当該機器の使用形態に応じて、前記表示領域を回転させることを特徴とする電子機器。
【請求項５】
前記電子機器は、第１の機能と第２の機能とを有し、前記第１の機能を使用している時の前記表示領域の表示方向と、前記第２の機能を使用している時の前記表示領域の表示方向とが直交することを特徴とする請求項４記載の電子機器。
【請求項６】
前記第１の機能は、通信機能であり、前記第２の機能は、撮影機能であることを特徴とする請求項５記載の電子機器。
【請求項７】
ほぼｎ対ｎの縦横比の表示可能領域を有し、該表示可能領域内に、縦横比が１：ｎまたはｎ：１　（ｎ＞１）の有効表示領域を選択的に設定し、該有効表示領域に画像を表示することを特徴とする表示装置。
【請求項８】
前記有効表示領域に表示する画像の上下方向は常に一定であることを特徴とする請求項７記載の表示装置。
【請求項９】
ほぼｎ対ｎの縦横比の表示可能領域を有する表示手段と、
　使用形態が入力される操作子と、
　前記操作子の操作状況に基づいて、前記表示領可能域内における有効表示領域の縦横比を変更する表示制御手段と
　を具備することを特徴とする電子機器。
【請求項１０】
被写体を撮影する撮影手段を備え、該撮影手段によって撮影された画像を前記有効表示領域に表示することを特徴とする請求項９記載の電子機器。
【請求項１１】
前記有効表示領域の縦横比は、前記撮像手段における画像取込領域の縦横比および画像信号取込開始位置を変更することにより決定されることを特徴とする請求項１０記載の電子機器。
【請求項１２】
ほぼｎ対ｎの縦横比の表示可能領域を有し、該表示可能領域の、１：ｎ（ｎ＞１）の縦横比を有する有効表示領域に画像を表示する表示手段と、
　筐体の回転角度を検出する角度検出手段と、
　前記角度検出手段によって検出された回転角度に基づいて、前記有効表示領域の上下方向を決定する決定手段と、
　文字情報を生成する文字情報生成手段と、
　前記決定手段によって決定された上下方向に基づいて、前記有効表示領域に画像を表示するとともに、該表示された画像に対する絶対位置および絶対方向で前記文字情報生成手段によって生成された文字情報を表示する表示制御手段と　を具備することを特徴とする電子機器。
【請求項１３】
被写体を撮影する撮影手段を備え、該撮影手段によって撮影された画像を前記有効表示領域に表示することを特徴とする請求項１２記載の電子機器。
【請求項１４】
前記有効表示領域の縦横比は、前記撮像手段における画像取込領域の縦横比および画像信号取込開始位置を変更することにより決定されることを特徴とする請求項１３記載の電子機器。
【発明の詳細な説明】
【技術分野】
【０００１】
　本発明は、複数の機能を有し、使用される機能に応じて、表示方向を縦横で切り替える表示装置および該表示装置を備える電子機器に関する。
【背景技術】
【０００２】
　一般に、映像を表示する電子機器（ビデオカメラ、電子スチルカメラ等）においては、テレビ受像機等の表示と同じ縦横の比率、すなわち長方形（横長）の画面を有する表示装置を備えている。近年、このような電子機器において、電子スチルカメラ等の撮影機能と通信機能（例えばＰＨＳ：Personal Handy phone System）とを備えた複合機器が提供されている。該複合機器では、上記表示装置をタッチパネルとし、ＰＨＳ端末として使用する際には、ダイヤルキーや、電話番号、住所等のデータベースなどを表示したり、電子スチルカメラとして使用する際には、撮影した映像を表示するようになっている。また、電子スチルカメラで撮影した映像をＰＨＳ機能ですぐに転送することができる。
　このような複合機器としては、以下の特許文献１に関連した技術の開示がある。
【０００３】
【特許文献１】特開平９−６５２６８号公報
【発明の開示】
【発明が解決しようとする課題】
【０００４】
　ところで、上述した従来の複合機器では、電子スチルカメラとして使用する場合と通信機として使用する場合とで、機器の向きを９０゜回転させるものがある。例えば、電子スチルカメラとして使用する場合には、機器を横方向（横長）にして使用し、通信機として使用する場合には、機器を縦方向（縦長）にして使用する。ゆえに、表示装置の映像を正しく表示させるには、映像の表示方向を使用形態に応じて９０゜回転させる必要がある。
【０００５】
　しかしながら、従来の複合機器では、表示装置が長方形であるため、表示方向を縦横で切り替えて表示する際、画面一杯に一画面を表示しようとすると、表示画像の縮尺が変わってしまうという問題があった。また、縮尺を同一にすると、表示方向によっては表示画像の一部が切れてしまうという問題があった。
【０００６】
　また、複合機器に拘わらず、従来の電子スチルカメラにおいては、縦長の被写体をフレーム枠いっぱいに収めて撮影しようとした場合、カメラ本体を９０°回転させなくてはならない。横方向に安定する構造となっており、本体を９０°回転させた状態で把持すると、安定性がなくなり、手ぶれが生じやすくなるという問題があった。また、液晶の依存性により、左右には視野が広く、上下には狭くなるので、本体を９０°回転させたときに、表示部に表示される被写体の見え方が実際のものと異なるという問題があった。また、９０°回転させることにより、液晶の色合いが変わるという問題があった。さらに、９０°回転させることにより、所定位置に配置されたシャッターを押下し難くなり、操作性が悪くなるという問題があった。
【０００７】
　また、従来の撮影機能を有する電子機器（電子スチルカメラ、ビデオカメラ等）では、日付や現在時刻等を、表示されている画像データ内に付加する場合、常に、画像データ内の決まった位置に付加していた。言い換えると、従来の撮影機能を有する電子機器では、筐体の上下方向または表示部の上下方向が絶対であったため、本体を標準的な持ち方で把持した状態で、文字が正立するように付加されていた。
【０００８】
　しかしながら、撮影機器を縦にしたり、横にしたりして撮影するような場合には、画像データも表示部（または筐体）に対して９０°回転することになり、該画像データに上述した方法で文字情報を付加すると、画像データの上下方向と文字情報の上下方向とが一致せず、視認性が悪いという問題があった。
【０００９】
　そこで本発明は、表示画像の縮尺が変わったり、表示画像の一部が切れることなく、表示方向を縦横に容易に切り替えることができる表示装置および該表示装置を備える電子機器を提供することを目的とする。
【００１０】
　また、本発明は、本体を回転させることなく、縦長および横長の被写体を適切な縦横比で撮影できるとともに、表示することができる表示装置および該表示装置を備える電子機器を提供することを目的とする。
【００１１】
　さらに、本発明は、本体を縦にしても横にしても、画像データの上下方向に合致するように、文字情報を付加することができ、視認性を向上することができる表示装置および該表示装置を備える電子機器を提供することを目的とする。
【課題を解決するための手段】
【００１２】
　上記目的達成のため、請求項１記載の発明による表示装置は、縦横比が１：ｎ（ｎ＞１）の表示領域に画像を表示する表示装置であって、前記表示領域が包含されるほぼｎ対ｎの縦横比を有し、使用形態に応じて、前記表示領域を回転させることを特徴とする。
【００１３】
　また、好ましい態様として、前記表示装置は、例えば請求項２記載のように、複数の機能を有し、使用用途に応じて、使用形態が変わる複合機器に設けられてもよい。
【００１４】
　また、好ましい態様として、前記使用形態は、例えば請求項３記載のように、前記表示装置が設けられた電子機器の使用者による把持形態であってもよい。
【００１５】
　また、上記目的達成のため、請求項４記載の発明による電子機器は、縦横比が１：ｎ（ｎ＞１）の表示領域に画像を表示する表示装置を備える電子機器において、前記表示装置は、前記表示領域が包含されるほぼｎ対ｎの縦横比を有し、当該機器の使用形態に応じて前記表示領域を回転させることを特徴とする。
【００１６】
　また、好ましい態様として、前記電子機器は、例えば請求項５記載のように、第１の機能と第２の機能とを有し、前記第１の機能を使用している時の前記表示領域の表示方向と、前記第２の機能を使用している時の前記表示領域の表示方向とが直交するものであってもよい。
【００１７】
　また、好ましい態様として、前記第１の機能は、例えば請求項６記載のように、通信機能であり、前記第２の機能は、撮影機能であってもよい。
【００１８】
　また、上記目的達成のため、請求項７記載の発明による表示装置は、ほぼｎ対ｎの縦横比の表示可能領域を有し、該表示可能領域内に、縦横比が１：ｎまたはｎ：１（ｎ＞１）の有効表示領域を選択的に設定し，該有効表示領域に画像を表示することを特徴とする。
【００１９】
　また、好ましい態様として、例えば請求項８記載のように、前記有効表示領域に表示する画像の上下方向は常に一定であってもよい。
【００２０】
　また、上記目的達成のため、請求項９記載の発明による電子機器は、ほぼｎ対ｎの縦横比の表示可能領域を有する表示手段と、使用形態が入力される操作子と、前記操作子の操作状況に基づいて、前記表示可能領域内における有効表示領域の縦横比を変更する表示制御手段とを具備することを特徴とする。
【００２１】
　また、好ましい態様として、例えば請求項１０記載のように、被写体を撮影する撮影手段を備え、該撮影手段によって撮影された画像を前記有効表示領域に表示するようにしてもよい。
【００２２】
　また、好ましい態様として、例えば請求項１１記載のように、前記有効表示領域の縦横比は、前記撮像手段における画像取込領域の縦横比および画像信号取込開始位置を変更することにより決定されるようにしてもよい。
【００２３】
　また、上記目的達成のため、請求項１２記載の発明による電子機器は、ほぼｎ対ｎの縦横比の表示領域を有し、該表示領域の、１：ｎ（ｎ＞１）の縦横比を有する有効表示領域に画像を表示する表示手段と、筐体の回転角度を検出する角度検出手段と、前記角度検出手段によって検出された回転角度に基づいて、前記有効表示領域の上下方向を決定する決定手段と、文字情報を生成する文字情報生成手段と、前記決定手段によって決定された上下方向に基づいて、前記有効表示領域に画像を表示するとともに、該表示された画像に対する絶対位置および絶対方向で前記文字情報生成手段によって生成された文字情報を表示する表示制御手段とを具備することを特徴とする。
【００２４】
　また、好ましい態様として、例えば請求項１３記載のように、被写体を撮影する撮影手段を備え、該撮影手段によって撮影された画像を前記有効表示領域に表示するようにしてもよい。
【００２５】
　また、好ましい態様として、前記有効表示領域の縦横比は、例えば請求項１４記載のように、前記撮像手段における画像取込領域の縦横比および画像信号取込開始位置を変更することにより決定されるようにしてもよい。
【発明の効果】
【００２６】
　請求項１記載の発明によれば、ほぼｎ対ｎの縦横比を有する表示装置に、縦横比が１：ｎ（ｎ＞１）の表示領域に画像を表示する際、機器の使用形態に応じて前記表示領域を回転させることにより、機器の天地と表示領域の天地を合致させるようにしたので、表示画像の縮尺が変わったり、表示画像の一部が切れることなく、表示方向を縦横に容易に切り替えることができるという利点が得られる。
【００２７】
　また、請求項２記載の発明によれば、複数の機能を有し、使用用途に応じて、使用形態が変わる複合機器に設けられている表示装置に適用すれば、使用される機能およびそのときの機器の使用形態に応じて、表示領域を回転させることにより、機器の天地と表示領域の天地を合致させるようにしたので、表示画像の縮尺が変わったり、表示画像の一部が切れることなく、表示方向を縦横に容易に切り替えることができるという利点が得られる。
【００２８】
　また、請求項３記載の発明によれば、機器の把持形態に応じて、表示領域を回転させることにより、機器の天地と表示領域の天地を合致させるようにしたので、表示画像の縮尺が変わったり、表示画像の一部が切れることなく、表示方向を縦横に容易に切り替えることができるという利点が得られる。
【００２９】
　また、請求項４記載の発明によれば、ほぼｎ対ｎの縦横比を有する表示装置に、縦横比が１：ｎ（ｎ＞１）の表示領域に画像を表示する際、機器の使用形態に応じて前記表示領域を回転させることにより、機器の天地と表示領域の天地を合致させるようにしたので、表示画像の縮尺が変わったり、表示画像の一部が切れることなく、表示方向を縦横に容易に切り替えることができるという利点が得られる。
【００３０】
　また、請求項５記載の発明によれば、第１の機能を使用している時の機器の使用形態と第２の機能を使用しているときの機器の使用形態が直交する場合であっても、前記第１の機能を使用している時の前記表示領域の表示方向と、前記第２の機能を使用している時の前記表示領域の表示方向とを直交させるようにしたので、表示画像の縮尺が変わったり、表示画像の一部が切れることなく、使用形態に応じて、表示方向を縦横に容易に切り替えることができるという利点が得られる。
【００３１】
　また、請求項６記載の発明によれば、通信機能の使用時における機器の把持形態に対して、撮影機能の使用時における機器の把持形態が違っていても、それぞれの機能使用時で、前記表示領域の表示方向とを直交させるようにしたので、表示画像の縮尺が変わったり、表示画像の一部が切れることなく、使用形態に応じて、表示方向を縦横に容易に切り替えることができるという利点が得られる。
【００３２】
　また、請求項７記載の発明によれば、ほぼｎ対ｎの縦横比の表示可能領域内に、縦横比が１：ｎまたはｎ：１（ｎ＞１）の有効表示領域を選択的に設定し，該有効表示領域に画像を表示するようにしたので、本体を被写体の状況に応じて回転させなくても、縦長、横長の画像を表示することができるという利点が得られる。
【００３３】
　また、請求項８記載の発明によれば、前記有効表示領域に表示する画像の上下方向は常に一定としたので、本体を被写体の状況に応じて回転させなくても、縦長、横長の画像を表示することができるという利点が得られる。
【００３４】
　また、請求項９記載の発明によれば、操作子の操作状況に基づいて、前記表示領域内における有効表示領域の縦横比を変更し、該有効表示領域に画像を表示するようにしたので、本体を被写体の状況に応じて回転させなくても、操作子を切り替えるだけの簡単な操作で、縦長、横長の画像を表示することができるという利点が得られる。
【００３５】
　また、請求項１０記載の発明によれば、撮影手段によって撮影した画像を有効表示領域に表示するようにしたので、本体を被写体の状況に応じて回転させなくても、操作子を切り替えるだけの簡単な操作で、縦長、横長のフレーム枠に収まるように被写体を撮影し、表示することができるという利点が得られる。
【００３６】
　また、請求項１１記載の発明によれば、撮像手段における画像取込領域の縦横比および画像信号取込開始位置を変更することにより、有効表示領域の縦横比を決定するようにしたので、簡単な構成で、本体を被写体の状況に応じて回転させなくても、操作子を切り替えるだけの簡単な操作で、縦長、横長のフレーム枠で被写体を撮影することができるとともに、画像を表示することができるという利点が得られる。
【００３７】
　また、請求項１２記載の発明によれば、角度検出手段によって筐体の回転角度を検出し、該回転角度に基づいて、有効表示領域の上下方向を決定し、該上下方向に基づいて、画像を表示するとともに、該表示された画像に対する絶対位置および絶対方向で、文字情報を表示するようにしたので、特別な操作や設定をしなくても、本体を縦にしても横にしても、画像データの上下方向に合致するように、自動的に文字情報を付加することができ、視認性を向上させることができるという利点が得られる。
【００３８】
　また、請求項１３記載の発明では、撮影手段によって撮影された画像を有効表示領域に表示するようにしたので、本体を縦にして被写体を撮影しても横にして撮影しても、撮影した画像の上下方向に合致するように、自動的に文字情報を付加することができ、視認性を向上させることができるという利点が得られる。
【００３９】
　また、請求項１４記載の発明では、撮像手段における画像取込領域の縦横比および画像信号取込開始位置を変更することにより、有効表示領域の縦横比を決定するようにしたので、簡単な構成で、本体を縦にして被写体を撮影しても横にして撮影しても、撮影した画像の上下方向に合致するように、自動的に文字情報を付加することができ、視認性を向上させることができるという利点が得られる。
【発明を実施するための最良の形態】
【００４０】
　以下、本発明の実施の形態を、電子スチルカメラとＰＨＳ端末との複合機器に適用した一実施例として、図面を参照して説明する。
【００４１】
　Ａ．第１実施例
　Ａ−１．第１実施例の構成
　（１）複合機器の構成
　図１は本発明の第１実施例による複合機器の構成を示すブロック図である。図において、複合機器は、ＰＨＳによる通信機能を実現するための回路と電子スチルカメラによる撮影機能を実現するための回路とを備えている。
【００４２】
　ａ．電子スチルカメラ部
　図において、１はＣＣＤであり、図示しないレンズを介して結像した静止映像を電気信号に変換し、バッファ２へ供給する。バッファ２は、上記静止映像信号を所定レベルに増幅した後、Ａ／Ｄ変換部３へ供給する。Ａ／Ｄ変換部３は、上記静止映像信号をデジタルデータ（以下、画像データという）に変換した後、ＴＧ（Timing Generator;タイミン グ発生器）４へ供給する。ＴＧ４は、ＣＣＤ１を駆動する駆動回路４を制御するためのタイミング信号を生成し、これを駆動回路５へ供給するとともに、このタイミング信号に従って、上記画像データを取り込み、データバスへ出力する。
【００４３】
　次に、６はＤＲＡＭ（ダイナミックメモリ）であり、上記ＴＧ４が出力する画像データを一時記憶する記憶媒体である。この画像データは、１画面分の撮影が終了した時点で読み出され、輝度信号と色信号とを分離する色演算処理が施される。また、７は、色演算処理により分離された上記輝度信号と色信号とを、例えばＪＰＥＧ（Joint Photographic Coding Experts Group）方式などの圧縮方式により圧縮する一方、圧縮された画像データを伸張する処理を施す圧縮 ／伸張部である。８は上記圧縮された画像データ（輝度信号と色信号）を格納するフラッシュメモリである。
【００４４】
　次に、９はＳＧ（Signal Generator;ビデオ信号発生器）であり、圧縮／伸張部７により伸張された輝度信号に色信 号を重畳し、同期信号等を付加して、デジタルビデオ信号を作成し、ＶＲＡＭ（ビデオＲＡＭ）１０およびＤ／Ａ変換器１１へ出力する。
【００４５】
　ＶＲＡＭ１０は、上記デジタルビデオ信号を記憶する記憶媒体である。また、Ｄ／Ａ変換器１１は、上記ＳＧ９が出力するデジタルビデオ信号をアナログ信号（以下、アナログビデオ信号という）に変換し、バッファ１２を介して、出力端から出力するとともに、ＬＣＤ（液晶表示器）１３へ供給する。
【００４６】
　また、１４は、シリアル信号に変換された映像信号等を入出力するインターフェースとして機能するＩ／Ｏポートであり、特に、本第１実施例では、他の機器（例えば、電子スチルカメラ、コンピュータ等）との間で、記録した画像データを授受する際に用いられる。実際の接続は、次に述べるように、該Ｉ／Ｏポート１４に接続されている通信端子１５によって行われる。
【００４７】
　ｂ．通信部
　図において、１６は送受信部であり、受信部および送信部からなる周波数変換部と、受信部および送信部からなるモデムとから構成されている。周波数変換部の受信部は、送信／受信を振り分けるアンテナスイッチを介して入力される、アンテナＡＮＴで受信した信号を、ＰＬＬシンセサイザから出力される所定周波数の局部発振信号と混合することにより、１．９ＧＨｚ帯から１ＭＨｚ帯付近のＩＦ（中間周波）信号に周波数変換する。また、周波数変換部の送信部は、後述するモデムから供給されるπ／４シフトＱＰＳＫの変調波をＰＬＬシンセサイザから出力される所定周波数の局部発振信号と混合することにより、１．９ＧＨｚ帯に周波数変換し、アンテナスイッチを介してアンテナＡＮＴから輻射する。次に、上述したモデムの受信部は、周波数変換部からのＩＦ信号を復調し、ＩＱデータに分離してデータ列とし、通信制御部１１へ送出する。また、モデムの送信部では、通信制御部１７から供給されるデータからＩＱデータを作成して、π／４シフトＱＰＳＫの変調をして、送受信部１６の周波数変換部へ送出する。
【００４８】
　次に、通信制御部１７は、送信側および受信側とで構成されており、フレーム同期およびスロットのデータフォーマット処理を行う。上記受信側は、送受信部１６のモデムから供給される受信データから所定のタイミングで１スロット分のデータを取り出し、このデータの中からユニークワード（同期信号）を抽出してフレーム同期信号を生成し、かつ、制御データ部および音声データ部のスクランブル等を解除した後、制御データをＣＰＵ２１へ送出し、音声データを音声処理部１８へ送出する。また、上記送信側は、音声処理部１８から供給される音声データに制御データ等を付加するとともに、スクランブル等を付与した後にユニークワード等を付加して、１スロット分の送信データを作成し、所定タイミングでフレーム内の所定スロットに挿入して送受信部１６のモデムに送出する。
【００４９】
　次に、上述した音声処理部１８は、スピーチコーディックおよびＰＣＭコーディックで構成されている。上記スピーチコーディックは、デジタルデータの圧縮／伸張処理を行うものであり、受信側および送信側とで構成されている。受信側は、通信制御部１７から供給されるＡＤＰＣＭ音声信号（４ビット×８ＫＨｚ＝３２Ｋｂｐｓ）をＰＣＭ音声信号（８ビット×８ＫＨｚ＝６４Ｋｂｐｓ）に復号化することにより伸張してＰＣＭコーディックに出力する。送信側は、ＰＣＭコーディックから供給されるＰＣＭ音声信号をＡＤＰＣＭ音声信号に符号化することにより圧縮して通信制御部１７へ送出する。上述したＰＣＭコーディックは、アナログ／デジタル変換処理を行うものであり、受信側は、スピーチコーディックから供給されるＰＣＭ音声信号をＤ／Ａ変換によりアナログ音声信号へ変換し、スピーカ１９から発音させ、送信側はマイク２０から入力されたアナログ音声信号をＡ／Ｄ変換によりＰＣＭ信号に変換し、スピーチコーディックに送出する。
【００５０】
　次に、ＣＰＵ２１は、所定のプログラムおよび上記キー入力部９のスイッチの状態に従って各部の動作を制御する。特に、本第１実施例では、後述するフローチャートに従って、後述するキー入力部２４に設けられているモード切替スイッチ３１の投入位置に応じて、ＬＣＤ１３における表示領域の表示方向を切り替えるようになっている。
【００５１】
　ＲＯＭ２２には、上記ＣＰＵ２１で実行されるプログラムや、種々のパラメータ等が格納されている。また、ＲＡＭ２３には、上記ＣＰＵ２１の制御に伴って生成されるデータが格納されたり、ワーキングエリアとして用いられる。なお、ＲＡＭ２３の記憶は、図示しないバッテリからの電源により保持される。次に、キー入力部２４は、ＰＨＳ端末として使用する場合、発信先（相手）の電話番号を入力する数値キーや、オンフック／オフフックを行うスイッチ、音声出力を変えるボリュームスイッチ等として機能する一方、電子スチルカメラとして使用する場合、シャッターキー、再生キー、画像送りキーや、各種設定値を設定するスイッチ等として機能する複数のキーから構成される。これらキーやスイッチの状態はＣＰＵ２１に供給される。
【００５２】
　また、前述したＬＣＤ１３は、縦横比が１：ｎ（ｎ＞１）の表示領域に画像を表示する略正方形（１：１＝ｎ：ｎ）の液晶表示器からなり、当該端末を電子スチルカメラとして使用する場合には、ＣＣＤ１により撮影した映像や、フラッシュメモリ８に格納した撮影後の画像データを表示する一方、ＰＨＳ端末として使用する場合には、ダイヤルキーや電話番号、通話時間、トランシーバモードにおけるメッセージ等の各種データ等、また、テレビ電話として使用する場合には、ＣＣＤ１により撮影した映像や相手端末からの映像を表示する。該ＬＣＤ１３は、タッチパネルとなっており、表示したダイヤルキーやアイコン等が利用者もしくは図示しないタッチペンによって指示（押下）されると、ダイヤル入力や、そのアイコンに割り当てられた機能が実行されるようになっている。
【００５３】
　（ｃ）複合機器の外観構成および使用形態
　次に、図２は、上述した複合機器の外観構成を示す斜視図である。なお、図１に対応する部分には同一の符号を付けて説明を省略する。図において、３０は、当該複合機器を電子スチルカメラとして使用した場合、ＣＣＤ１で撮影した映像を取り込むためのシャッターキーである。また、３１は、ＬＣＤ１３に対する表示画面およびファインダーの縦横を切り換えるためのモード切替スイッチであり、図示を正位置とした場合、当該モード切替スイッチ３１を下側に投入した場合には、表示画面およびファインダーを横長とし、上側に投入した場合には、表示画面およびファインダーを縦長とするようになっている。
【００５４】
　ここで、図３および図４は、複合機器の使用形態を示す模式図である。当該複合機器は、その使用用途に応じて、その用途で最も使用しやすいように、把持形態を変えるようになっている。例えば、当該複合機器を電子スチルカメラとして使用する場合には、図３（ａ）に示すように、横長になるように把持するようになっている。このとき、ＬＣＤ１３は、使用者から見て、図示する矢印が上下方向となる。使用者は、上記モード切替スイッチ３１を下側に投入し、図４（ａ）に示すように、図示する矢印が上下方向となるように、ＬＣＤ１３における表示領域の方向を設定する。すなわち、縦横比がｎ：ｎのＬＣＤ１３に対し、１：ｎ（ｎ＞１）の縦横比を有する表示領域で、撮影した映像や、記録した映像等を表示するようになっている。この場合、機器は横長になるように把持されているので、ＬＣＤ１３の上下部分は、表示領域外の部分、すなわち非表示領域となる。
【００５５】
　一方、ＰＨＳ端末として使用する場合には、スピーカ１９を耳に当て、マイク２０を口元にもってくるようにしなければならないので、図３（ｂ）に示すように、縦長になるように把持するようになっている。このとき、ＬＣＤ１３は、使用者から見て、図示する矢印が上下方向となるので、電子スチルカメラ使用時に対して９０゜回転させて表示すればよい。そこで、使用者は、上記モード切替スイッチ３１を上側に投入し、図４（ｂ）に示すように、図示する矢印が上下方向になるように、ＬＣＤ１３における表示領域の方向を設定する。すなわち、電子スチルカメラ使用時に対して、ＬＣＤ１３における表示領域を９０゜回転させた状態で、ダイヤルキーや、電話番号等を表示する。この場合、機器は縦長になるように把持されているので、ＬＣＤ１３の上下部分（電子スチルカメラ使用時における左右）は、表示領域外の部分、すなわち非表示領域となる。
【００５６】
　Ａ−２．第１実施例の動作
次に、上述した第１実施例による複合機器の動作について説明する。なお、以下の説明では、通話や撮影における各 部の動作については通常のＰＨＳ端末や電子スチルカメラの動作と同様であるので説明を省略する。ここで、図５は、本第１実施例による複合機器での表示切替動作を説明するためのフローチャートである。
【００５７】
　まず、ステップＳ１０で、電子スチルカメラとしての機能とＰＨＳ端末としての機能を切り替えるモード切替スイッチ３１が操作されたか否かを判断し、操作されていなければ、その他の処理へ進む。一方、モード切替スイッチ３１が操作されれば、ステップＳ１２に進み、下側に投入されたか否かを判断する。ここで、使用者が当該複合機器を電子スチルカメラとして使用する場合には、使用者はモード切替スイッチ３１を下側に投入するので、ステップＳ１４に進む。ステップＳ１４では、図３（ａ）に示すように、当該機器を横長で把持した状態で、ＬＣＤ１３の表示領域の方向を、図６（ａ）に示すように、電子スチルカメラとして使用されている現時点の機器の上下に合致するように設定する。したがって、ＬＣＤ１３の上下が非表示領域となる。この結果、ＣＣＤ１で撮影した映像や、フラッシュメモリ８に記憶された画像は、当該機器を横長で把持した状態で、使用者から見て画像（映像）の上下が正しくなるようにＬＣＤ１３に表示される。
【００５８】
　一方、使用者が当該複合機器をＰＨＳ端末として使用する場合には、使用者はモード切替スイッチ３１を上側に投入するので、ステップＳ１６に進む。ステップＳ１６では、図３（ｂ）に示すように、当該機器を縦長で把持した状態で、ＬＣＤ１３の表示領域の方向を、図６（ｂ）に示すように、電子スチルカメラ使用時の表示領域に対して９０゜回転させ、ＰＨＳ端末として使用されている現時点の機器の上下に合致するように設定する。したがって、ＬＣＤ１３の　（電子スチルカメラ使用時のＬＣＤに対し）左右が非表示領域となる。この結果、ダイヤルのためのダイヤルキーや、電話番号、各種データ等は、当該機器を縦長で把持した状態で、使用者から見て画像（映像）の上下が正しくなるようにＬＣＤ１３に表示される。
【００５９】
　このように、本第１実施例では、ＬＣＤ１３を略正方形とし、その使用形態に応じて、ＬＣＤ１３の表示領域を９０゜回転させるようにしたので、当該機器が横長方向で使用されたり（電子スチルカメラ）、当該機器が縦長方向（横長に対して９０゜回転させた方向）で使用されても（ＰＨＳ端末）、特別な操作、例えばＬＣＤ１３を機械的に回転させたり、特別な処理を施したりすることなく、表示領域の表示方向を容易に切り替えることができる。また、表示領域の表示方向を切り替えることで、表示画像の縮尺が変わったり、表示画像の一部が切れたりすることもない。
【００６０】
　Ｂ．第２実施例
　次に、本発明による第２実施例について説明する。本第２実施例では、当該複合機器を電子スチルカメラ（または電子スチルカメラ単体であってもよい）として用いる際に、縦長の被写体をフレーム枠いっぱいに収めて撮影しようとした場合に生じる従来技術の課題を解決するものである。
【００６１】
　Ｂ−１．第２実施例の構成
　本発明の複合機器がその使用用途に応じて、その用途で最も使用しやすいように、把持形態を変えるようになっていることは前述した通りである。例えば、当該複合機器を電子スチルカメラとして使用する場合には、図７（ａ），（ｂ）に示すように、横長になるように把持するようになっており、本第２実施例では、図示の把持形態のみで、横長、縦長のフレーム枠で撮影および表示を可能にする。すなわち、本第２実施例では、ＬＣＤ１３は、使用者から見て、図示する矢印が常に上下方向となり、縦長の画像も横長の画像も該上下方向に合致するように撮影されるとともに表示される。
【００６２】
　また、電子スチルカメラとして機能している場合、モード切替スイッチ３１は、ＣＣＤ1の露光領域および画像信号 の取り込み開始位置を変更するための切替スイッチとして機能する。具体的には、被写体を横長の画像として収めたい場合、例えば、被写体が横に広がっているような場合には、モード切替スイッチ３１を下側に投入し、図７（ａ）に示すように、ＣＣＤ1の露光領域を、１：ｎ（ｎ＞１）の縦横比とするとともに、画像信号の取り込み開始位置を開始位 置ＳＰ１とすることで、縦横比がｎ：ｎのＬＣＤ１３に対し、１：ｎ（ｎ＞１）の縦横比を有する有効表示領域に、撮影した映像や、記録した映像等を表示することが可能となる。この場合、ＬＣＤ１３の上下部分が表示領域外の部分、すなわち非表示領域となる。
【００６３】
　同様に、被写体を縦長の画像として収めたい場合、例えば、被写体が縦に長いような場合には、上記モード切替スイッチ３１を上側に投入し、図７（ｂ）に示すように、ＣＣＤ1の露光領域を、ｎ：１（ｎ＞１）の縦横比とするととも に、画像信号の取り込み開始位置を開始位置ＳＰ２とすることで、縦横比がｎ：ｎのＬＣＤ１３に対し、ｎ：１（ｎ＞１）の縦横比を有する有効表示領域に、撮影した映像や、記録した映像等を表示することが可能となる。この場合、ＬＣＤ１３の左右部分が表示領域外の部分、すなわち非表示領域となる。
【００６４】
　Ｂ−２．第２実施例の動作
　次に、上述した第２実施例による複合機器の動作について説明する。なお、以下の説明では、通話や撮影における各部の動作については通常のＰＨＳ端末や電子スチルカメラの動作と同様であるので説明を省略する。ここで、図８は、本第２実施例による複合機器を電子スチルカメラとして用いた場合の表示切替動作を説明するためのフローチャートである。
【００６５】
　まず、ステップＳ２０で、電子スチルカメラとして動作するカメラモードであるか否かを判断し、カメラモード以外（ＰＨＳ端末）であれば、対応する処理へ進む。一方、カメラモードであれば、ステップＳ２２へ進み、モード切替スイッチ３１が操作されたか否かを判断し、操作されていなければ、その他の処理へ進む。一方、モード切替スイッチ３１が操作されれば、ステップＳ２４に進み、下側に投入されたか、上側に投入されたかを判断する。
【００６６】
　ここで、使用者が横長の画像を撮影したいと希望し、モード切替スイッチ３１を下側に投入した場合には、ステップＳ２６に進む。ステップＳ２６では、図７（ａ）に示すように、ＣＣＤ１の露光領域が１：ｎ（ｎ＞１）の縦横比となるように変更する。次に、ステップＳ２８で、ＣＣＤ１の画像信号の取り込み開始位置を、図示するように、露光領域内の開始位置ＳＰ１に変更する。
【００６７】
　この結果、ＣＣＤ１で撮影された映像は、当該機器を横長で把持した状態で、使用者から見て横長の映像としてＬＣＤ１３に表示されるとともに、フラッシュメモリ８等へ記録されることになる。
【００６８】
　一方、使用者が被写体に合わせて縦長の画像を撮影したいと希望し、モード切替スイッチ３１を上側に投入した場合には、ステップＳ３０に進む。ステップＳ３０では、図７（ｂ）に示すように、ＣＣＤ１の露光領域がｎ：１（ｎ＞１）の縦横比となるように変更する。次に、ステップＳ３２で、ＣＣＤ１の画像信号の取り込み開始位置を、図示するように、露光領域内の開始位置ＳＰ２に変更する。この結果、ＣＣＤ１で撮影された映像は、当該機器を横長で把持した状態で、使用者から見て縦長の映像としてＬＣＤ１３に表示されるとともに、フラッシュメモリ８等へ記録されることになる。
【００６９】
　上述したように、本第２実施例では、モード切替スイッチ３１の操作に応じて、ＣＣＤ１の露光部分の縦横比を切り替えるとともに、画像信号の取り込み開始位置を露光部分に応じて切り替えることにより、図示するように、複合機の筐体を回転させることなく、横長の画像、縦長の画像のいずれも撮影することができる。ゆえに、筐体を回転させる必要がないので、画角を落とさずに撮影ができ、また、有効画素数の向上を図ることができるとともに、手ぶれを軽減し、視野内での色合いを向上させることができる。
【００７０】
　なお、上述した第２実施例では、ＣＣＤ１の露光部分の縦横比を切り替えるとともに、画像信号の取り込み開始位置を露光部分に応じて切り替えることにより、横長、縦長を切り替えていたが、これに限定されることなく、鏡やプリズムを用いて、ＣＣＤ１への結像を９０°回転させるようにしてもよい。
【００７１】
　Ｃ．第３実施例
　次に、本発明による第３実施例について説明する。第３実施例では、従来、撮影した画像データ内に付加する日付等の文字情報を、撮影した映像の天地（上下方向）に合わせて付加するようにしたものである。すなわち、本第３実施例では、筐体の動方向（天地）を検出し、撮影される画像データの天地（上下方向）を認識して、その方向に合致するように、文字情報を付加するというものである。以下、詳細に説明する。
【００７２】
　Ｃ−１．第３実施例の構成
図９は、本発明の第３実施例による複合機の構成を示すブロック図である。なお、図１に対応する部分には同一の符 号を付けて説明を省略する。本第３実施例で新たに加えられた構成要件は、タイマ２５および動方向センサ２６である。タイマ２５は、所定のシステムクロックをカウントし、現在時刻および日付を計時する。該現在時刻および日付は、画像データ内に付加される文字情報として用いられる。このため、ＲＯＭ２２には、現在時刻および日付を表示するためのキャラクタが記憶されている。
【００７３】
　また、動方向センサ２６は、当該複合機器の回転角度を検出するもので、少なくとも、図１０（ａ）に示すように、通常の使用形態である水平方向で被写体に向けられているか、図１０（ｂ）に示すように、縦長の被写体を撮影するために、９０°回転させて向けられているかを検出し、回転角度に相当する角度情報をＣＰＵ２１に供給する。ここで，図１０は、上記動方向センサ２６の一構成例を示す正面図である。図において、支柱２７は、一端を回転自在な支点とし、他端に重り２８を備えている。上記支柱２７の一端は、回転角センサ２９の回転軸に連接されている。支柱27は、複合機器の回転角度（把持角度）に対応して、重り２８が常に重力方向に向くように回動する。したがって、上記回転角センサ２９の回転軸も、支柱２７の回動に合わせて回転することになる。回転角センサ２９は、回転軸の回転角度に応じた出力電圧を送出する。
【００７４】
　ＣＰＵ２１は、上記動方向センサ２６からの角度情報に従って、ＣＣＤ１における露光領域の画像信号の取り込み開始位置を変更するとともに、走査方向、水平ドット数、垂直ドット数を変更する。なお、これについての詳細は後述する。また、ＣＰＵ２１は、上記タイマ２５からの現在時刻および日付に基づいて文字情報を作成するとともに、上記動方向センサ２６からの角度情報に基づいて、画像データに対して、文字情報を表示する位置を決定し、該位置に上記作成した文字情報を付加するよう画像処理を施す。
【００７５】
　Ｃ−２．第３実施例の動作
　使用者が横長の画像を撮影したいと希望し、図１１（ａ）に示すように、当該複合機器を横方向に把持した場合には、ＣＣＤ１の露光領域の縦横比を、１：ｎ（１＞ｎ）とするとともに、画像信号の取り込み開始位置を、露光領域内の開始位置ＳＰ３とする。また、この場合、主走査方向は、図示のｘ軸方向であり、副走査方向はｙ軸方向となる。次に、上記ＣＣＤ１から取り込んだ画像データをＬＣＤ１３に表示するタイミングで、タイマ２５からの現在時刻および日付に基づいて文字情報を作成するとともに、上記動方向センサ２６からの角度情報に基づいて、文字情報を付加する画像データ内の位置を決定し、図示する位置に上記作成した文字情報を付加する。この結果、文字情報は、画像データの天地（上下方向）に合致する位置および方向でＬＣＤ１３に表示されることになる。
【００７６】
　一方、使用者が被写体に合わせて縦長の画像を撮影したいと希望し、図１１（ｂ）に示すように、当該複合機器を縦方向に把持した場合には、ＣＣＤ１の露光領域の縦横比はそのままで、画像信号の取り込み開始位置を、露光領域内の開始位置ＳＰ４とする。また、この場合、主走査方向を図示のｙ軸方向とし、副走査方向をｘ軸方向とする。次に、上記ＣＣＤ１から取り込んだ画像データをＬＣＤ１３に表示するタイミングで、タイマ２５からの現在時刻および日付に基づいて文字情報を作成するとともに、上記動方向センサ２６からの角度情報に基づいて、文字情報を付加する画像データ内の位置を決定し、図示するように、該位置に上記作成した文字情報を付加する。この結果、文字情報は、画像データの天地（上下方向）に合致する位置および方向でＬＣＤ１３に表示されることになる。
【００７７】
　このように、上述した第３実施例では、動方向（筐体の回転角度）を検知し、該動方向に基づいて、画像データ内に画像データの天地（上下方向）に合致するような所定の位置・方向で、現在時刻（撮影時刻）、日付等の文字情報付加する。このため、複合機器（電子スチルカメラ）を横にして撮影しても、縦にして撮影しても、画像データ内の適切な位置に、適切な方向で文字情報を付加することができる。この結果、使用者は、画像データとともに、容易に文字情報を視認することができる。
【００７８】
　ここで、図１２（ａ），（ｂ）は、従来の複合機器（または電子スチルカメラ）による文字情報を付加した画像データと、上記本発明の第３実施例による複合機器（または電子スチルカメラ）による文字情報を付加した画像データを示す概念図である。図において、それぞれの画像データは、機器を縦にして撮影したものであり、図１２（ａ）に示す従来技術による画像データでは、文字情報の位置および方向が画像データの方向と合致せず、視認しにくい。これに対して、図１２（ｂ）に示す第３実施例による画像データでは、文字情報の位置および方向が画像データの方向と合致しているので、容易に視認できる。
【００７９】
　Ｄ.変形例
　なお、上述した第３実施例では、動方向を検知するために、回転角センサ２９と、該回転センサ２９の回転軸に一端が連接され、他端に重り２８が設けられた支柱２７とを用いたが、単に横にして撮影しているか、縦にして撮影しているかだけを検知するならば、例えば図１３に示すように、一端を回転自在な支点３０とし、他端に重り３１を設けた導電性の支柱Ｂを設けるとともに、該支柱Ｂから適宜離れて、導電性の支柱Ｂが回動した際に該支柱Ｂと接触する位置に、導電性の端子Ａ，Ｂを設ける。上記支柱Ｂは、複合機器の回転角度（把持角度）に対応して、常に、支点３０を中心にして重り３１が重力方向に向くように回動する。
【００８０】
　したがって、上記構成によれば、支柱Ｂが端子Ａ，Ｃのどちらとも導通していなければ、複合機器（電子スチルカメラ）を横にして撮影していると判断し、支柱Ｂが端子Ａと導通していれば、端子Ａ側が下にくるように複合機器（電子スチルカメラ）を縦にして撮影していると判断し、さらに、支柱Ｂが端子Ｃと導通していれば、端子Ｃ側が下にくるように複合機器（電子スチルカメラ）を縦にして撮影していると判断することができる。
【００８１】
　ゆえに、支柱Ｂが端子Ａと導通していれば、複合機器を図１４（ａ）に示すような状態で撮影したということであるので、画像データの天地（上下方向）に合致するように、複合機器を横にして撮影する通常時のＬＣＤ１３で見た場合に画面の左下に右方向が上となるように文字情報を付加すればよい。また、支柱Ｂが端子Ａ，Ｃのどちらとも導通していなければ、複合機器を図１４（ｂ）に示すような状態、すなわち通常の状態で撮影したということであるので、ＬＣＤ１３の右下に上方向が上となるように文字情報を付加すればよい。
【００８２】
　同様にして、支柱Ｂが端子Ｃと導通していれば、複合機器を図１４（ｃ）に示すような状態で撮影したということであるので、画像データの天地（上下方向）に合致するように、通常時のＬＣＤ１３で見た場合に画面の右上に左方向が上となるように文字情報を付加すればよい。これにより、使用者が画像データを正しい方向でみた場合、文字情報は画像データの右下に正しい方向で表示されていることになる。
【００８３】
　さらに、上述した動方向センサ２６として、図１５（ａ）、（ｂ）に示すように、所定の容器３５に液体３６と、一端を回転自在な支点３７とし、他端に該液体３６より比重の軽い部材からなる浮き３８を設けた支柱３９とを封入し、さらに、該支柱３９の支点３８に回転軸４０を連接された回転角センサ４１を設け、上記浮き３８が浮力によって常に上方にくるように支柱３９を回動させることを利用し、回転角センサ４１の出力からどの方向で撮影されているか（動方向）を検知する。
【００８４】
　そして、該動方向に基づいて、画像データ内に画像データの天地（上下方向）に合致するような所定の位置・方向で、現在時刻（撮影時刻）、日付等の文字情報付加する。したがって、上述した第３実施例と同様に、複合機器（電子スチルカメラ）を横にして撮影しても、縦にして撮影しても、画像データとともに、適切な位置・方向で文字情報を表示することができる。この結果、使用者は、画像データとともに、容易に文字情報を視認することができる。
【図面の簡単な説明】
【００８５】
【図１】本発明の第１実施例による複合機器の構成を示すブロック図である。
【図２】複合機器の外観構成を示す斜視図である。
【図３】複合機器を電子スチルカメラまたはＰＨＳ端末として使用した場合の使用形態（把持形態）を示す模式図である。
【図４】複合機器を電子スチルカメラまたはＰＨＳ端末として使用した場合の使用形態を示す模式図である。
【図５】本第１実施例による複合機器での表示切替動作を説明するためのフローチャートである。
【図６】使用形態に応じて切り替わったＬＣＤの表示方向を示す模式図である。
【図７】本発明の第２実施例による動作を説明するための概念図である。
【図８】本第２実施例による動作を説明するためのフローチャートである。
【図９】本発明の第３実施例による複合機器の構成を示すブロック図である。
【図１０】本第３実施例による動方向センサの一構成例を示す正面図である。
【図１１】本第３実施例による撮影形態および表示例を示す概念図である。
【図１２】動方向を検知しない従来技術と、動方向を検知する本第３実施例とによる文字情報の付加の違いを説明するための概念図である。
【図１３】動方向センサの他の構成例を示す正面図である。
【図１４】文字情報の付加方法の他の例を説明するための概念図である。
【図１５】動方向センサの他の構成例を示す断面図である。
【符号の説明】
【００８６】
　１　ＣＣＤ
　２　バッファ
　３　Ａ／Ｄ変換器
　４　ＴＧ
　５　駆動回路
　６　ＤＲＡＭ
　８　フラッシュメモリ
　９　ＳＧ
　１０　ＶＲＡＭ
　１１　圧縮／伸張部
　１２　バッファ
　１３　ＬＣＤ
　１４　Ｉ／Ｏポート
　１５　入出力端子
　ＡＮＴ　アンテナ
　１６　送受信部
　１７　通信制御部
　１８　音声処理部
　１９　スピーカ
　２０　マイク
　２１　制御部
　２２　ＲＯＭ
　２３　ＲＡＭ
　２４　キー入力部
　２５　タイマ
　２６　動方向センサ
　２７　支柱
　２８　重り
　２９　回転角センサ
【図１】
2004072754.tif 000003
【図２】
2004072754.tif 000004
【図３】
2004072754.tif 000005
【図４】
2004072754.tif 000006
【図５】
2004072754.tif 000007
【図６】
2004072754.tif 000008
【図７】
2004072754.tif 000009
【図８】
2004072754.tif 000010
【図９】
2004072754.tif 000011
【図１０】
2004072754.tif 000012
【図１１】
2004072754.tif 000013
【図１２】
2004072754.tif 000014
【図１３】
2004072754.tif 000015
【図１４】
2004072754.tif 000016
【図１５】
2004072754.tif 000017
【手続補正書】
【提出日】平成15年7月9日(2003.7.9)
【手続補正１】
【補正対象書類名】特許請求の範囲
【補正対象項目名】全文
【補正方法】変更
【補正の内容】
【特許請求の範囲】
【請求項１】
撮影手段と、
　この撮影手段によって取り込まれた被写体画像を圧縮処理する圧縮処理手段と、
　この圧縮処理手段によって圧縮処理された被写体画像を記憶する記憶手段と、
　前記撮影手段によって取り込まれる被写体画像を横長の画像として前記記憶手段に記憶させるモードと、前記撮影手段によって取り込まれる被写体画像を縦長の画像として前記記憶手段に記憶させるモードとを切り替えるモード切替手段と、
　前記記憶手段に記憶された被写体画像を表示する表示手段と、
　この表示手段に前記記憶手段に記憶された被写体画像を表示させる際、前記モード切替手段によって前記被写体画像を横長の画像として記憶させた時は横長の画像として伸張処理して表示させる一方、前記被写体画像を横長の画像として記憶させた時は横長の画像として伸張処理して表示させる制御手段と、
を備えたことを特徴とする電子スチルカメラ。
【請求項２】
前記被写体画像の方向に合致するように文字情報を付加する文字情報付加手段を更に備えたことを特徴とする請求項１記載の電子スチルカメラ。
【請求項３】
当該機器の動方向を検出する検出手段を更に備え、
　前記モード切替手段は、この検出手段によって検出された動方向に基づいて、前記被写体画像を横長の画像として記憶させるモードと前記被写体画像を縦長の画像として記憶させるモードとを切り替えることを特徴とする請求項１又は２記載の電子スチルカメラ。
【請求項４】
撮影ステップと、
　この撮影ステップにて取り込まれた被写体画像を圧縮処理する圧縮処理ステップと、
　この圧縮処理ステップにて圧縮処理された被写体画像をメモリに記憶させる記憶ステップと、
　前記撮影ステップにて取り込まれる被写体画像を横長の画像として前記メモリに記憶させるモードと、前記撮影ステップにて取り込まれる被写体画像を縦長の画像として前記メモリに記憶させるモードとを切り替えるモード切替ステップと、
　前記メモリに記憶された被写体画像を表示する表示ステップと、
　この表示ステップによって前記メモリに記憶された被写体画像を表示させる際、前記モード切替ステップにて前記被写体画像を横長の画像として記憶させた時は横長の画像として伸張処理して表示させる一方、前記被写体画像を横長の画像として記憶させた時は横長の画像として伸張処理して表示させる制御ステップと、
を含み、電子スチルカメラにより上記ステップを実行して被写体画像を表示することを特徴とする被写体画像の表示方法。
【手続補正２】
【補正対象書類名】明細書
【補正対象項目名】全文
【補正方法】変更
【補正の内容】
【発明の詳細な説明】
【技術分野】
【０００１】
　本発明は、複数の機能を有し、使用される機能に応じて、表示方向を縦横で切り替える電子スチルカメラおよび被写体画像の表示方法に関する。
【背景技術】
【０００２】
　一般に、映像を表示する電子機器（ビデオカメラ、電子スチルカメラ等）においては、テレビ受像機等の表示と同じ縦横の比率、すなわち長方形（横長）の画面を有する表示装置を備えている。近年、このような電子機器において、電子スチルカメラ等の撮影機能と通信機能（例えばＰＨＳ：Personal Handy phone System）とを備えた複合機器が提供されている。該複合機器では、上記表示装置をタッチパネルとし、ＰＨＳ端末として使用する際には、ダイヤルキーや、電話番号、住所等のデータベースなどを表示したり、電子スチルカメラとして使用する際には、撮影した映像を表示するようになっている。また、電子スチルカメラで撮影した映像をＰＨＳ機能ですぐに転送することができる。
　このような複合機器としては、以下の特許文献１に関連した技術の開示がある。
【０００３】
【特許文献１】特開平９−６５２６８号公報
【発明の開示】
【発明が解決しようとする課題】
【０００４】
　ところで、上述した従来の複合機器では、電子スチルカメラとして使用する場合と通信機として使用する場合とで、機器の向きを９０゜回転させるものがある。例えば、電子スチルカメラとして使用する場合には、機器を横方向（横長）にして使用し、通信機として使用する場合には、機器を縦方向（縦長）にして使用する。ゆえに、表示装置の映像を正しく表示させるには、映像の表示方向を使用形態に応じて９０゜回転させる必要がある。
【０００５】
　しかしながら、従来の複合機器では、表示装置が長方形であるため、表示方向を縦横で切り替えて表示する際、画面一杯に一画面を表示しようとすると、表示画像の縮尺が変わってしまうという問題があった。また、縮尺を同一にすると、表示方向によっては表示画像の一部が切れてしまうという問題があった。
【０００６】
　また、複合機器に拘わらず、従来の電子スチルカメラにおいては、縦長の被写体をフレーム枠いっぱいに収めて撮影しようとした場合、カメラ本体を９０°回転させなくてはならない。横方向に安定する構造となっており、本体を９０°回転させた状態で把持すると、安定性がなくなり、手ぶれが生じやすくなるという問題があった。また、液晶の依存性により、左右には視野が広く、上下には狭くなるので、本体を９０°回転させたときに、表示部に表示される被写体の見え方が実際のものと異なるという問題があった。また、９０°回転させることにより、液晶の色合いが変わるという問題があった。さらに、９０°回転させることにより、所定位置に配置されたシャッターを押下し難くなり、操作性が悪くなるという問題があった。
【０００７】
　また、従来の撮影機能を有する電子機器（電子スチルカメラ、ビデオカメラ等）では、日付や現在時刻等を、表示されている画像データ内に付加する場合、常に、画像データ内の決まった位置に付加していた。言い換えると、従来の撮影機能を有する電子機器では、筐体の上下方向または表示部の上下方向が絶対であったため、本体を標準的な持ち方で把持した状態で、文字が正立するように付加されていた。
【０００８】
　しかしながら、撮影機器を縦にしたり、横にしたりして撮影するような場合には、画像データも表示部（または筐体）に対して９０°回転することになり、該画像データに上述した方法で文字情報を付加すると、画像データの上下方向と文字情報の上下方向とが一致せず、視認性が悪いという問題があった。
【０００９】
　そこで本発明は、表示画像の縮尺が変わったり、表示画像の一部が切れることなく、表示方向を縦横に容易に切り替えることができる電子スチルカメラおよび被写体画像の表示方法を提供することを目的とする。
【００１０】
　また、本発明は、本体を回転させることなく、縦長および横長の被写体を適切な縦横比で撮影できるとともに、表示することができる電子スチルカメラおよび被写体画像の表示方法を提供することを目的とする。
【００１１】
　さらに、本発明は、本体を縦にしても横にしても、画像データの上下方向に合致するように、文字情報を付加することができ、視認性を向上することができる電子スチルカメラおよび被写体画像の表示方法を提供することを目的とする。
【課題を解決するための手段】
【００１２】
　上記目的達成のため、請求項１記載の発明による電子スチルカメラは、撮影手段と、
　この撮影手段によって取り込まれた被写体画像を圧縮処理する圧縮処理手段と、
　この圧縮処理手段によって圧縮処理された被写体画像を記憶する記憶手段と、
　前記撮影手段によって取り込まれる被写体画像を横長の画像として前記記憶手段に記憶させるモードと、前記撮影手段によって取り込まれる被写体画像を縦長の画像として前記記憶手段に記憶させるモードとを切り替えるモード切替手段と、
　前記記憶手段に記憶された被写体画像を表示する表示手段と、
　この表示手段に前記記憶手段に記憶された被写体画像を表示させる際、前記モード切替手段によって前記被写体画像を横長の画像として記憶させた時は横長の画像として伸張処理して表示させる一方、前記被写体画像を横長の画像として記憶させた時は横長の画像として伸張処理して表示させる制御手段と、を備えたことを特徴とする。
【００１３】
　また、好ましい態様として、例えば請求項２記載のように、前記被写体画像の方向に合致するように文字情報を付加する文字情報付加手段を更に備えるようにしてもよい。
【００１４】
　また、好ましい態様として、例えば請求項３記載のように、当該機器の動方向を検出する検出手段を更に備え、
　前記モード切替手段は、この検出手段によって検出された動方向に基づいて、前記被写体画像を横長の画像として記憶させるモードと前記被写体画像を縦長の画像として記憶させるモードとを切り替えるようにしてもよい。
【００１５】
　また、上記目的達成のため、請求項４記載の発明による被写体画像の表示方法は、撮影ステップと、
　この撮影ステップにて取り込まれた被写体画像を圧縮処理する圧縮処理ステップと、
　この圧縮処理ステップにて圧縮処理された被写体画像をメモリに記憶させる記憶ステップと、
　前記撮影ステップにて取り込まれる被写体画像を横長の画像として前記メモリに記憶させるモードと、前記撮影ステップにて取り込まれる被写体画像を縦長の画像として前記メモリに記憶させるモードとを切り替えるモード切替ステップと、
　前記メモリに記憶された被写体画像を表示する表示ステップと、
　この表示ステップによって前記メモリに記憶された被写体画像を表示させる際、前記モード切替ステップにて前記被写体画像を横長の画像として記憶させた時は横長の画像として伸張処理して表示させる一方、前記被写体画像を横長の画像として記憶させた時は横長の画像として伸張処理して表示させる制御ステップと、
を含み、電子スチルカメラにより上記ステップを実行して被写体画像を表示することを特徴とする。
【発明の効果】
【００１６】
　請求項１記載の発明によれば、表示手段に記憶手段に記憶された被写体画像を表示させる際、モード切替手段によって被写体画像を横長の画像として記憶させた時は横長の画像として伸張処理して表示させる一方、被写体画像を横長の画像として記憶させた時は横長の画像として伸張処理して表示させるようにしたので、表示画像の縮尺が変わったり、表示画像の一部が切れることなく、表示方向を縦横に容易に切り替えることができるという利点が得られる。
【００１７】
　また、請求項２記載の発明によれば、被写体画像の方向に合致するように文字情報を付加する文字情報付加手段を更に備えたので、自動的に文字情報を付加することができ、視認性を向上させることができるという利点が得られる。
【００１８】
　また、請求項３記載の発明によれば、機器の動方向を検出する検出手段を更に備え、モード切替手段は、この検出手段によって検出された動方向に基づいて、被写体画像を横長の画像として記憶させるモードと被写体画像を縦長の画像として記憶させるモードとを切り替えるようにしたので、本体を被写体の状況に応じて回転させなくても、縦長、横長の画像を表示することができるという利点が得られる。
【００１９】
　また、請求項４記載の発明によれば、表示画像の縮尺が変わったり、表示画像の一部が切れることなく、表示方向を縦横に容易に切り替えることができるという利点が得られる。
【発明を実施するための最良の形態】
【００２０】
　以下、本発明の実施の形態を、電子スチルカメラとＰＨＳ端末との複合機器に適用した一実施例として、図面を参照して説明する。
【００２１】
　Ａ．第１実施例
　Ａ−１．第１実施例の構成
　（１）複合機器の構成
　図１は本発明の第１実施例による複合機器の構成を示すブロック図である。図において、複合機器は、ＰＨＳによる通信機能を実現するための回路と電子スチルカメラによる撮影機能を実現するための回路とを備えている。
【００２２】
　ａ．電子スチルカメラ部
　図において、１はＣＣＤであり、図示しないレンズを介して結像した静止映像を電気信号に変換し、バッファ２へ供給する。バッファ２は、上記静止映像信号を所定レベルに増幅した後、Ａ／Ｄ変換部３へ供給する。Ａ／Ｄ変換部３は、上記静止映像信号をデジタルデータ（以下、画像データという）に変換した後、ＴＧ（Timing Generator;タイミン グ発生器）４へ供給する。ＴＧ４は、ＣＣＤ１を駆動する駆動回路４を制御するためのタイミング信号を生成し、これを駆動回路５へ供給するとともに、このタイミング信号に従って、上記画像データを取り込み、データバスへ出力する。
【００２３】
　次に、６はＤＲＡＭ（ダイナミックメモリ）であり、上記ＴＧ４が出力する画像データを一時記憶する記憶媒体である。この画像データは、１画面分の撮影が終了した時点で読み出され、輝度信号と色信号とを分離する色演算処理が施される。また、７は、色演算処理により分離された上記輝度信号と色信号とを、例えばＪＰＥＧ（Joint Photographic Coding Experts Group）方式などの圧縮方式により圧縮する一方、圧縮された画像データを伸張する処理を施す圧縮 ／伸張部である。８は上記圧縮された画像データ（輝度信号と色信号）を格納するフラッシュメモリである。
【００２４】
　次に、９はＳＧ（Signal Generator;ビデオ信号発生器）であり、圧縮／伸張部７により伸張された輝度信号に色信 号を重畳し、同期信号等を付加して、デジタルビデオ信号を作成し、ＶＲＡＭ（ビデオＲＡＭ）１０およびＤ／Ａ変換器１１へ出力する。
【００２５】
　ＶＲＡＭ１０は、上記デジタルビデオ信号を記憶する記憶媒体である。また、Ｄ／Ａ変換器１１は、上記ＳＧ９が出力するデジタルビデオ信号をアナログ信号（以下、アナログビデオ信号という）に変換し、バッファ１２を介して、出力端から出力するとともに、ＬＣＤ（液晶表示器）１３へ供給する。
【００２６】
　また、１４は、シリアル信号に変換された映像信号等を入出力するインターフェースとして機能するＩ／Ｏポートであり、特に、本第１実施例では、他の機器（例えば、電子スチルカメラ、コンピュータ等）との間で、記録した画像データを授受する際に用いられる。実際の接続は、次に述べるように、該Ｉ／Ｏポート１４に接続されている通信端子１５によって行われる。
【００２７】
　ｂ．通信部
　図において、１６は送受信部であり、受信部および送信部からなる周波数変換部と、受信部および送信部からなるモデムとから構成されている。周波数変換部の受信部は、送信／受信を振り分けるアンテナスイッチを介して入力される、アンテナＡＮＴで受信した信号を、ＰＬＬシンセサイザから出力される所定周波数の局部発振信号と混合することにより、１．９ＧＨｚ帯から１ＭＨｚ帯付近のＩＦ（中間周波）信号に周波数変換する。また、周波数変換部の送信部は、後述するモデムから供給されるπ／４シフトＱＰＳＫの変調波をＰＬＬシンセサイザから出力される所定周波数の局部発振信号と混合することにより、１．９ＧＨｚ帯に周波数変換し、アンテナスイッチを介してアンテナＡＮＴから輻射する。次に、上述したモデムの受信部は、周波数変換部からのＩＦ信号を復調し、ＩＱデータに分離してデータ列とし、通信制御部１１へ送出する。また、モデムの送信部では、通信制御部１７から供給されるデータからＩＱデータを作成して、π／４シフトＱＰＳＫの変調をして、送受信部１６の周波数変換部へ送出する。
【００２８】
　次に、通信制御部１７は、送信側および受信側とで構成されており、フレーム同期およびスロットのデータフォーマット処理を行う。上記受信側は、送受信部１６のモデムから供給される受信データから所定のタイミングで１スロット分のデータを取り出し、このデータの中からユニークワード（同期信号）を抽出してフレーム同期信号を生成し、かつ、制御データ部および音声データ部のスクランブル等を解除した後、制御データをＣＰＵ２１へ送出し、音声データを音声処理部１８へ送出する。また、上記送信側は、音声処理部１８から供給される音声データに制御データ等を付加するとともに、スクランブル等を付与した後にユニークワード等を付加して、１スロット分の送信データを作成し、所定タイミングでフレーム内の所定スロットに挿入して送受信部１６のモデムに送出する。
【００２９】
　次に、上述した音声処理部１８は、スピーチコーディックおよびＰＣＭコーディックで構成されている。上記スピーチコーディックは、デジタルデータの圧縮／伸張処理を行うものであり、受信側および送信側とで構成されている。受信側は、通信制御部１７から供給されるＡＤＰＣＭ音声信号（４ビット×８ＫＨｚ＝３２Ｋｂｐｓ）をＰＣＭ音声信号（８ビット×８ＫＨｚ＝６４Ｋｂｐｓ）に復号化することにより伸張してＰＣＭコーディックに出力する。送信側は、ＰＣＭコーディックから供給されるＰＣＭ音声信号をＡＤＰＣＭ音声信号に符号化することにより圧縮して通信制御部１７へ送出する。上述したＰＣＭコーディックは、アナログ／デジタル変換処理を行うものであり、受信側は、スピーチコーディックから供給されるＰＣＭ音声信号をＤ／Ａ変換によりアナログ音声信号へ変換し、スピーカ１９から発音させ、送信側はマイク２０から入力されたアナログ音声信号をＡ／Ｄ変換によりＰＣＭ信号に変換し、スピーチコーディックに送出する。
【００３０】
　次に、ＣＰＵ２１は、所定のプログラムおよび上記キー入力部９のスイッチの状態に従って各部の動作を制御する。特に、本第１実施例では、後述するフローチャートに従って、後述するキー入力部２４に設けられているモード切替スイッチ３１の投入位置に応じて、ＬＣＤ１３における表示領域の表示方向を切り替えるようになっている。
【００３１】
　ＲＯＭ２２には、上記ＣＰＵ２１で実行されるプログラムや、種々のパラメータ等が格納されている。また、ＲＡＭ２３には、上記ＣＰＵ２１の制御に伴って生成されるデータが格納されたり、ワーキングエリアとして用いられる。なお、ＲＡＭ２３の記憶は、図示しないバッテリからの電源により保持される。次に、キー入力部２４は、ＰＨＳ端末として使用する場合、発信先（相手）の電話番号を入力する数値キーや、オンフック／オフフックを行うスイッチ、音声出力を変えるボリュームスイッチ等として機能する一方、電子スチルカメラとして使用する場合、シャッターキー、再生キー、画像送りキーや、各種設定値を設定するスイッチ等として機能する複数のキーから構成される。これらキーやスイッチの状態はＣＰＵ２１に供給される。
【００３２】
　また、前述したＬＣＤ１３は、縦横比が１：ｎ（ｎ＞１）の表示領域に画像を表示する略正方形（１：１＝ｎ：ｎ）の液晶表示器からなり、当該端末を電子スチルカメラとして使用する場合には、ＣＣＤ１により撮影した映像や、フラッシュメモリ８に格納した撮影後の画像データを表示する一方、ＰＨＳ端末として使用する場合には、ダイヤルキーや電話番号、通話時間、トランシーバモードにおけるメッセージ等の各種データ等、また、テレビ電話として使用する場合には、ＣＣＤ１により撮影した映像や相手端末からの映像を表示する。該ＬＣＤ１３は、タッチパネルとなっており、表示したダイヤルキーやアイコン等が利用者もしくは図示しないタッチペンによって指示（押下）されると、ダイヤル入力や、そのアイコンに割り当てられた機能が実行されるようになっている。
【００３３】
　（ｃ）複合機器の外観構成および使用形態
　次に、図２は、上述した複合機器の外観構成を示す斜視図である。なお、図１に対応する部分には同一の符号を付けて説明を省略する。図において、３０は、当該複合機器を電子スチルカメラとして使用した場合、ＣＣＤ１で撮影した映像を取り込むためのシャッターキーである。また、３１は、ＬＣＤ１３に対する表示画面およびファインダーの縦横を切り換えるためのモード切替スイッチであり、図示を正位置とした場合、当該モード切替スイッチ３１を下側に投入した場合には、表示画面およびファインダーを横長とし、上側に投入した場合には、表示画面およびファインダーを縦長とするようになっている。
【００３４】
　ここで、図３および図４は、複合機器の使用形態を示す模式図である。当該複合機器は、その使用用途に応じて、その用途で最も使用しやすいように、把持形態を変えるようになっている。例えば、当該複合機器を電子スチルカメラとして使用する場合には、図３（ａ）に示すように、横長になるように把持するようになっている。このとき、ＬＣＤ１３は、使用者から見て、図示する矢印が上下方向となる。使用者は、上記モード切替スイッチ３１を下側に投入し、図４（ａ）に示すように、図示する矢印が上下方向となるように、ＬＣＤ１３における表示領域の方向を設定する。すなわち、縦横比がｎ：ｎのＬＣＤ１３に対し、１：ｎ（ｎ＞１）の縦横比を有する表示領域で、撮影した映像や、記録した映像等を表示するようになっている。この場合、機器は横長になるように把持されているので、ＬＣＤ１３の上下部分は、表示領域外の部分、すなわち非表示領域となる。
【００３５】
　一方、ＰＨＳ端末として使用する場合には、スピーカ１９を耳に当て、マイク２０を口元にもってくるようにしなければならないので、図３（ｂ）に示すように、縦長になるように把持するようになっている。このとき、ＬＣＤ１３は、使用者から見て、図示する矢印が上下方向となるので、電子スチルカメラ使用時に対して９０゜回転させて表示すればよい。そこで、使用者は、上記モード切替スイッチ３１を上側に投入し、図４（ｂ）に示すように、図示する矢印が上下方向になるように、ＬＣＤ１３における表示領域の方向を設定する。すなわち、電子スチルカメラ使用時に対して、ＬＣＤ１３における表示領域を９０゜回転させた状態で、ダイヤルキーや、電話番号等を表示する。この場合、機器は縦長になるように把持されているので、ＬＣＤ１３の上下部分（電子スチルカメラ使用時における左右）は、表示領域外の部分、すなわち非表示領域となる。
【００３６】
　Ａ−２．第１実施例の動作
次に、上述した第１実施例による複合機器の動作について説明する。なお、以下の説明では、通話や撮影における各 部の動作については通常のＰＨＳ端末や電子スチルカメラの動作と同様であるので説明を省略する。ここで、図５は、本第１実施例による複合機器での表示切替動作を説明するためのフローチャートである。
【００３７】
　まず、ステップＳ１０で、電子スチルカメラとしての機能とＰＨＳ端末としての機能を切り替えるモード切替スイッチ３１が操作されたか否かを判断し、操作されていなければ、その他の処理へ進む。一方、モード切替スイッチ３１が操作されれば、ステップＳ１２に進み、下側に投入されたか否かを判断する。ここで、使用者が当該複合機器を電子スチルカメラとして使用する場合には、使用者はモード切替スイッチ３１を下側に投入するので、ステップＳ１４に進む。ステップＳ１４では、図３（ａ）に示すように、当該機器を横長で把持した状態で、ＬＣＤ１３の表示領域の方向を、図６（ａ）に示すように、電子スチルカメラとして使用されている現時点の機器の上下に合致するように設定する。したがって、ＬＣＤ１３の上下が非表示領域となる。この結果、ＣＣＤ１で撮影した映像や、フラッシュメモリ８に記憶された画像は、当該機器を横長で把持した状態で、使用者から見て画像（映像）の上下が正しくなるようにＬＣＤ１３に表示される。
【００３８】
　一方、使用者が当該複合機器をＰＨＳ端末として使用する場合には、使用者はモード切替スイッチ３１を上側に投入するので、ステップＳ１６に進む。ステップＳ１６では、図３（ｂ）に示すように、当該機器を縦長で把持した状態で、ＬＣＤ１３の表示領域の方向を、図６（ｂ）に示すように、電子スチルカメラ使用時の表示領域に対して９０゜回転させ、ＰＨＳ端末として使用されている現時点の機器の上下に合致するように設定する。したがって、ＬＣＤ１３の　（電子スチルカメラ使用時のＬＣＤに対し）左右が非表示領域となる。この結果、ダイヤルのためのダイヤルキーや、電話番号、各種データ等は、当該機器を縦長で把持した状態で、使用者から見て画像（映像）の上下が正しくなるようにＬＣＤ１３に表示される。
【００３９】
　このように、本第１実施例では、ＬＣＤ１３を略正方形とし、その使用形態に応じて、ＬＣＤ１３の表示領域を９０゜回転させるようにしたので、当該機器が横長方向で使用されたり（電子スチルカメラ）、当該機器が縦長方向（横長に対して９０゜回転させた方向）で使用されても（ＰＨＳ端末）、特別な操作、例えばＬＣＤ１３を機械的に回転させたり、特別な処理を施したりすることなく、表示領域の表示方向を容易に切り替えることができる。また、表示領域の表示方向を切り替えることで、表示画像の縮尺が変わったり、表示画像の一部が切れたりすることもない。
【００４０】
　Ｂ．第２実施例
　次に、本発明による第２実施例について説明する。本第２実施例では、当該複合機器を電子スチルカメラ（または電子スチルカメラ単体であってもよい）として用いる際に、縦長の被写体をフレーム枠いっぱいに収めて撮影しようとした場合に生じる従来技術の課題を解決するものである。
【００４１】
　Ｂ−１．第２実施例の構成
　本発明の複合機器がその使用用途に応じて、その用途で最も使用しやすいように、把持形態を変えるようになっていることは前述した通りである。例えば、当該複合機器を電子スチルカメラとして使用する場合には、図７（ａ），（ｂ）に示すように、横長になるように把持するようになっており、本第２実施例では、図示の把持形態のみで、横長、縦長のフレーム枠で撮影および表示を可能にする。すなわち、本第２実施例では、ＬＣＤ１３は、使用者から見て、図示する矢印が常に上下方向となり、縦長の画像も横長の画像も該上下方向に合致するように撮影されるとともに表示される。
【００４２】
　また、電子スチルカメラとして機能している場合、モード切替スイッチ３１は、ＣＣＤ1の露光領域および画像信号 の取り込み開始位置を変更するための切替スイッチとして機能する。具体的には、被写体を横長の画像として収めたい場合、例えば、被写体が横に広がっているような場合には、モード切替スイッチ３１を下側に投入し、図７（ａ）に示すように、ＣＣＤ1の露光領域を、１：ｎ（ｎ＞１）の縦横比とするとともに、画像信号の取り込み開始位置を開始位 置ＳＰ１とすることで、縦横比がｎ：ｎのＬＣＤ１３に対し、１：ｎ（ｎ＞１）の縦横比を有する有効表示領域に、撮影した映像や、記録した映像等を表示することが可能となる。この場合、ＬＣＤ１３の上下部分が表示領域外の部分、すなわち非表示領域となる。
【００４３】
　同様に、被写体を縦長の画像として収めたい場合、例えば、被写体が縦に長いような場合には、上記モード切替スイッチ３１を上側に投入し、図７（ｂ）に示すように、ＣＣＤ1の露光領域を、ｎ：１（ｎ＞１）の縦横比とするととも に、画像信号の取り込み開始位置を開始位置ＳＰ２とすることで、縦横比がｎ：ｎのＬＣＤ１３に対し、ｎ：１（ｎ＞１）の縦横比を有する有効表示領域に、撮影した映像や、記録した映像等を表示することが可能となる。この場合、ＬＣＤ１３の左右部分が表示領域外の部分、すなわち非表示領域となる。
【００４４】
　Ｂ−２．第２実施例の動作
　次に、上述した第２実施例による複合機器の動作について説明する。なお、以下の説明では、通話や撮影における各部の動作については通常のＰＨＳ端末や電子スチルカメラの動作と同様であるので説明を省略する。ここで、図８は、本第２実施例による複合機器を電子スチルカメラとして用いた場合の表示切替動作を説明するためのフローチャートである。
【００４５】
　まず、ステップＳ２０で、電子スチルカメラとして動作するカメラモードであるか否かを判断し、カメラモード以外（ＰＨＳ端末）であれば、対応する処理へ進む。一方、カメラモードであれば、ステップＳ２２へ進み、モード切替スイッチ３１が操作されたか否かを判断し、操作されていなければ、その他の処理へ進む。一方、モード切替スイッチ３１が操作されれば、ステップＳ２４に進み、下側に投入されたか、上側に投入されたかを判断する。
【００４６】
　ここで、使用者が横長の画像を撮影したいと希望し、モード切替スイッチ３１を下側に投入した場合には、ステップＳ２６に進む。ステップＳ２６では、図７（ａ）に示すように、ＣＣＤ１の露光領域が１：ｎ（ｎ＞１）の縦横比となるように変更する。次に、ステップＳ２８で、ＣＣＤ１の画像信号の取り込み開始位置を、図示するように、露光領域内の開始位置ＳＰ１に変更する。
【００４７】
　この結果、ＣＣＤ１で撮影された映像は、当該機器を横長で把持した状態で、使用者から見て横長の映像としてＬＣＤ１３に表示されるとともに、フラッシュメモリ８等へ記録されることになる。
【００４８】
　一方、使用者が被写体に合わせて縦長の画像を撮影したいと希望し、モード切替スイッチ３１を上側に投入した場合には、ステップＳ３０に進む。ステップＳ３０では、図７（ｂ）に示すように、ＣＣＤ１の露光領域がｎ：１（ｎ＞１）の縦横比となるように変更する。次に、ステップＳ３２で、ＣＣＤ１の画像信号の取り込み開始位置を、図示するように、露光領域内の開始位置ＳＰ２に変更する。この結果、ＣＣＤ１で撮影された映像は、当該機器を横長で把持した状態で、使用者から見て縦長の映像としてＬＣＤ１３に表示されるとともに、フラッシュメモリ８等へ記録されることになる。
【００４９】
　上述したように、本第２実施例では、モード切替スイッチ３１の操作に応じて、ＣＣＤ１の露光部分の縦横比を切り替えるとともに、画像信号の取り込み開始位置を露光部分に応じて切り替えることにより、図示するように、複合機の筐体を回転させることなく、横長の画像、縦長の画像のいずれも撮影することができる。ゆえに、筐体を回転させる必要がないので、画角を落とさずに撮影ができ、また、有効画素数の向上を図ることができるとともに、手ぶれを軽減し、視野内での色合いを向上させることができる。
【００５０】
　なお、上述した第２実施例では、ＣＣＤ１の露光部分の縦横比を切り替えるとともに、画像信号の取り込み開始位置を露光部分に応じて切り替えることにより、横長、縦長を切り替えていたが、これに限定されることなく、鏡やプリズムを用いて、ＣＣＤ１への結像を９０°回転させるようにしてもよい。
【００５１】
　Ｃ．第３実施例
　次に、本発明による第３実施例について説明する。第３実施例では、従来、撮影した画像データ内に付加する日付等の文字情報を、撮影した映像の天地（上下方向）に合わせて付加するようにしたものである。すなわち、本第３実施例では、筐体の動方向（天地）を検出し、撮影される画像データの天地（上下方向）を認識して、その方向に合致するように、文字情報を付加するというものである。以下、詳細に説明する。
【００５２】
　Ｃ−１．第３実施例の構成
図９は、本発明の第３実施例による複合機の構成を示すブロック図である。なお、図１に対応する部分には同一の符 号を付けて説明を省略する。本第３実施例で新たに加えられた構成要件は、タイマ２５および動方向センサ２６である。タイマ２５は、所定のシステムクロックをカウントし、現在時刻および日付を計時する。該現在時刻および日付は、画像データ内に付加される文字情報として用いられる。このため、ＲＯＭ２２には、現在時刻および日付を表示するためのキャラクタが記憶されている。
【００５３】
　また、動方向センサ２６は、当該複合機器の回転角度を検出するもので、少なくとも、図１０（ａ）に示すように、通常の使用形態である水平方向で被写体に向けられているか、図１０（ｂ）に示すように、縦長の被写体を撮影するために、９０°回転させて向けられているかを検出し、回転角度に相当する角度情報をＣＰＵ２１に供給する。ここで，図１０は、上記動方向センサ２６の一構成例を示す正面図である。図において、支柱２７は、一端を回転自在な支点とし、他端に重り２８を備えている。上記支柱２７の一端は、回転角センサ２９の回転軸に連接されている。支柱27は、複合機器の回転角度（把持角度）に対応して、重り２８が常に重力方向に向くように回動する。したがって、上記回転角センサ２９の回転軸も、支柱２７の回動に合わせて回転することになる。回転角センサ２９は、回転軸の回転角度に応じた出力電圧を送出する。
【００５４】
　ＣＰＵ２１は、上記動方向センサ２６からの角度情報に従って、ＣＣＤ１における露光領域の画像信号の取り込み開始位置を変更するとともに、走査方向、水平ドット数、垂直ドット数を変更する。なお、これについての詳細は後述する。また、ＣＰＵ２１は、上記タイマ２５からの現在時刻および日付に基づいて文字情報を作成するとともに、上記動方向センサ２６からの角度情報に基づいて、画像データに対して、文字情報を表示する位置を決定し、該位置に上記作成した文字情報を付加するよう画像処理を施す。
【００５５】
　Ｃ−２．第３実施例の動作
　使用者が横長の画像を撮影したいと希望し、図１１（ａ）に示すように、当該複合機器を横方向に把持した場合には、ＣＣＤ１の露光領域の縦横比を、１：ｎ（１＞ｎ）とするとともに、画像信号の取り込み開始位置を、露光領域内の開始位置ＳＰ３とする。また、この場合、主走査方向は、図示のｘ軸方向であり、副走査方向はｙ軸方向となる。次に、上記ＣＣＤ１から取り込んだ画像データをＬＣＤ１３に表示するタイミングで、タイマ２５からの現在時刻および日付に基づいて文字情報を作成するとともに、上記動方向センサ２６からの角度情報に基づいて、文字情報を付加する画像データ内の位置を決定し、図示する位置に上記作成した文字情報を付加する。この結果、文字情報は、画像データの天地（上下方向）に合致する位置および方向でＬＣＤ１３に表示されることになる。
【００５６】
　一方、使用者が被写体に合わせて縦長の画像を撮影したいと希望し、図１１（ｂ）に示すように、当該複合機器を縦方向に把持した場合には、ＣＣＤ１の露光領域の縦横比はそのままで、画像信号の取り込み開始位置を、露光領域内の開始位置ＳＰ４とする。また、この場合、主走査方向を図示のｙ軸方向とし、副走査方向をｘ軸方向とする。次に、上記ＣＣＤ１から取り込んだ画像データをＬＣＤ１３に表示するタイミングで、タイマ２５からの現在時刻および日付に基づいて文字情報を作成するとともに、上記動方向センサ２６からの角度情報に基づいて、文字情報を付加する画像データ内の位置を決定し、図示するように、該位置に上記作成した文字情報を付加する。この結果、文字情報は、画像データの天地（上下方向）に合致する位置および方向でＬＣＤ１３に表示されることになる。
【００５７】
　このように、上述した第３実施例では、動方向（筐体の回転角度）を検知し、該動方向に基づいて、画像データ内に画像データの天地（上下方向）に合致するような所定の位置・方向で、現在時刻（撮影時刻）、日付等の文字情報付加する。このため、複合機器（電子スチルカメラ）を横にして撮影しても、縦にして撮影しても、画像データ内の適切な位置に、適切な方向で文字情報を付加することができる。この結果、使用者は、画像データとともに、容易に文字情報を視認することができる。
【００５８】
　ここで、図１２（ａ），（ｂ）は、従来の複合機器（または電子スチルカメラ）による文字情報を付加した画像データと、上記本発明の第３実施例による複合機器（または電子スチルカメラ）による文字情報を付加した画像データを示す概念図である。図において、それぞれの画像データは、機器を縦にして撮影したものであり、図１２（ａ）に示す従来技術による画像データでは、文字情報の位置および方向が画像データの方向と合致せず、視認しにくい。これに対して、図１２（ｂ）に示す第３実施例による画像データでは、文字情報の位置および方向が画像データの方向と合致しているので、容易に視認できる。
【００５９】
　Ｄ.変形例
　なお、上述した第３実施例では、動方向を検知するために、回転角センサ２９と、該回転センサ２９の回転軸に一端が連接され、他端に重り２８が設けられた支柱２７とを用いたが、単に横にして撮影しているか、縦にして撮影しているかだけを検知するならば、例えば図１３に示すように、一端を回転自在な支点３０とし、他端に重り３１を設けた導電性の支柱Ｂを設けるとともに、該支柱Ｂから適宜離れて、導電性の支柱Ｂが回動した際に該支柱Ｂと接触する位置に、導電性の端子Ａ，Ｂを設ける。上記支柱Ｂは、複合機器の回転角度（把持角度）に対応して、常に、支点３０を中心にして重り３１が重力方向に向くように回動する。
【００６０】
　したがって、上記構成によれば、支柱Ｂが端子Ａ，Ｃのどちらとも導通していなければ、複合機器（電子スチルカメラ）を横にして撮影していると判断し、支柱Ｂが端子Ａと導通していれば、端子Ａ側が下にくるように複合機器（電子スチルカメラ）を縦にして撮影していると判断し、さらに、支柱Ｂが端子Ｃと導通していれば、端子Ｃ側が下にくるように複合機器（電子スチルカメラ）を縦にして撮影していると判断することができる。
【００６１】
　ゆえに、支柱Ｂが端子Ａと導通していれば、複合機器を図１４（ａ）に示すような状態で撮影したということであるので、画像データの天地（上下方向）に合致するように、複合機器を横にして撮影する通常時のＬＣＤ１３で見た場合に画面の左下に右方向が上となるように文字情報を付加すればよい。また、支柱Ｂが端子Ａ，Ｃのどちらとも導通していなければ、複合機器を図１４（ｂ）に示すような状態、すなわち通常の状態で撮影したということであるので、ＬＣＤ１３の右下に上方向が上となるように文字情報を付加すればよい。
【００６２】
　同様にして、支柱Ｂが端子Ｃと導通していれば、複合機器を図１４（ｃ）に示すような状態で撮影したということであるので、画像データの天地（上下方向）に合致するように、通常時のＬＣＤ１３で見た場合に画面の右上に左方向が上となるように文字情報を付加すればよい。これにより、使用者が画像データを正しい方向でみた場合、文字情報は画像データの右下に正しい方向で表示されていることになる。
【００６３】
　さらに、上述した動方向センサ２６として、図１５（ａ）、（ｂ）に示すように、所定の容器３５に液体３６と、一端を回転自在な支点３７とし、他端に該液体３６より比重の軽い部材からなる浮き３８を設けた支柱３９とを封入し、さらに、該支柱３９の支点３８に回転軸４０を連接された回転角センサ４１を設け、上記浮き３８が浮力によって常に上方にくるように支柱３９を回動させることを利用し、回転角センサ４１の出力からどの方向で撮影されているか（動方向）を検知する。
【００６４】
　そして、該動方向に基づいて、画像データ内に画像データの天地（上下方向）に合致するような所定の位置・方向で、現在時刻（撮影時刻）、日付等の文字情報付加する。したがって、上述した第３実施例と同様に、複合機器（電子スチルカメラ）を横にして撮影しても、縦にして撮影しても、画像データとともに、適切な位置・方向で文字情報を表示することができる。この結果、使用者は、画像データとともに、容易に文字情報を視認することができる。
【図面の簡単な説明】
【００６５】
【図１】本発明の第１実施例による複合機器の構成を示すブロック図である。
【図２】複合機器の外観構成を示す斜視図である。
【図３】複合機器を電子スチルカメラまたはＰＨＳ端末として使用した場合の使用形態（把持形態）を示す模式図である。
【図４】複合機器を電子スチルカメラまたはＰＨＳ端末として使用した場合の使用形態を示す模式図である。
【図５】本第１実施例による複合機器での表示切替動作を説明するためのフローチャートである。
【図６】使用形態に応じて切り替わったＬＣＤの表示方向を示す模式図である。
【図７】本発明の第２実施例による動作を説明するための概念図である。
【図８】本第２実施例による動作を説明するためのフローチャートである。
【図９】本発明の第３実施例による複合機器の構成を示すブロック図である。
【図１０】本第３実施例による動方向センサの一構成例を示す正面図である。
【図１１】本第３実施例による撮影形態および表示例を示す概念図である。
【図１２】動方向を検知しない従来技術と、動方向を検知する本第３実施例とによる文字情報の付加の違いを説明するための概念図である。
【図１３】動方向センサの他の構成例を示す正面図である。
【図１４】文字情報の付加方法の他の例を説明するための概念図である。
【図１５】動方向センサの他の構成例を示す断面図である。
【符号の説明】
【００６６】
　１　ＣＣＤ
　２　バッファ
　３　Ａ／Ｄ変換器
　４　ＴＧ
　５　駆動回路
　６　ＤＲＡＭ
　８　フラッシュメモリ
　９　ＳＧ
　１０　ＶＲＡＭ
　１１　圧縮／伸張部
　１２　バッファ
　１３　ＬＣＤ
　１４　Ｉ／Ｏポート
　１５　入出力端子
　ＡＮＴ　アンテナ
　１６　送受信部
　１７　通信制御部
　１８　音声処理部
　１９　スピーカ
　２０　マイク
　２１　制御部
　２２　ＲＯＭ
　２３　ＲＡＭ
　２４　キー入力部
　２５　タイマ
　２６　動方向センサ
　２７　支柱
　２８　重り
　２９　回転角センサ